(57)【要約】【課題】凹凸屋根材の凹部を流れる雨水が屋外側に大きく飛び出し難い屋根構造を提供する。【解決手段】屋根下地上に設けられた凹凸屋根材３を備える。凹凸屋根材３が、下方に開口し上方に突出する凸部３０と上方に開口し下方に凹む凹部３１を軒に沿う方向に交互に有する。凹凸屋根材３の軒側に面戸２が設けられた屋根構造である。面戸２が、凸部３０の軒側開口に対向して同開口を覆う覆い部２１０と、凹部３１の軒側開口から排出された雨水をさらに屋外側に導く導水溝部２２０を有する。導水溝部２２０が凹部３１の底面部の軒側縁から屋外側に行く程幅広になり、導水溝部２２０の最大溝幅を凹部３１の軒側開口の幅よりも大きくする。【選択図】図１
2014080732.tif 000002
【特許請求の範囲】
【請求項１】
屋根下地上に設けられた凹凸屋根材を備え、この凹凸屋根材が、下方に開口し上方に突出する凸部と上方に開口し下方に凹む凹部を軒に沿う方向に交互に有し、前記凹凸屋根材の軒側に面戸が設けられた屋根構造であって、前記面戸が、前記凸部の軒側開口に対向して同開口を覆う覆い部と、前記凹部の軒側開口から排出された雨水をさらに屋外側に導く導水溝部を有し、前記導水溝部が前記凹部の底面部の軒側縁から屋外側に行く程幅広になり、この導水溝部の最大溝幅を前記凹部の軒側開口の幅よりも大きくしたことを特徴とする屋根構造。
【請求項２】
前記導水溝部の溝底部が屋外側に行く程屋根勾配よりも急な下り傾斜となるように湾曲したことを特徴とする請求項１に記載の屋根構造。
【請求項３】
前記面戸が前記導水溝部の溝底部の屋外側端部から屋外側に突出する水受部を有することを特徴とする請求項１又は請求項２に記載の屋根構造。
【請求項４】
前記覆い部の側端部を前記凸部の側面部から前記凹部側に向けて突出する堰止部としたことを特徴とする請求項１乃至３のいずれか１項に記載の屋根構造。
【発明の詳細な説明】
【技術分野】
【０００１】
本発明は凹凸屋根材の軒側に面戸が設けられる屋根構造に関する。
【背景技術】
【０００２】
特許文献１には折板屋根の端部に面戸が固定された屋根構造が開示されている。
【先行技術文献】
【特許文献】
【０００３】
【特許文献１】特開２０１０−３７８５４号公報
【発明の概要】
【発明が解決しようとする課題】
【０００４】
ところで、凸部と凹部を軒に沿う方向に交互に有する凹凸屋根材にあっては、凹部の内側を軒側に向かって流れる雨水が屋外側に大きく飛び出す可能性がある。そして、このように雨水が屋外側に大きく飛び出すと、軒から離れた箇所に雨水がかかる恐れがある。また、軒樋で受けきれずに軒下に居る人に雨水がかかる可能性もある。
【０００５】
本発明は上記事情に鑑みてなされたものであって、凹凸屋根材の凹部を流れる雨水が屋外側に大きく飛び出し難い屋根構造を提供することを課題とする。
【課題を解決するための手段】
【０００６】
上記課題を解決するために本発明の屋根構造は、屋根下地上に設けられた凹凸屋根材を備え、この凹凸屋根材が、下方に開口し上方に突出する凸部と上方に開口し下方に凹む凹部を軒に沿う方向に交互に有し、前記凹凸屋根材の軒側に面戸が設けられた屋根構造であって、前記面戸が、前記凸部の軒側開口に対向して同開口を覆う覆い部と、前記凹部の軒側開口から排出された雨水をさらに屋外側に導く導水溝部を有し、前記導水溝部が前記凹部の底面部の軒側縁から屋外側に行く程幅広になり、この導水溝部の最大溝幅を前記凹部の軒側開口の幅よりも大きくしたことを特徴とする。
【０００７】
また、前記導水溝部の溝底部が屋外側に行く程屋根勾配よりも急な下り傾斜となるように湾曲することが好ましい。
【０００８】
また、前記面戸が前記導水溝部の溝底部の屋外側端部から屋外側に突出する水受部を有することが好ましい。
【０００９】
また、前記覆い部の側端部を前記凸部の側面部から前記凹部側に向けて突出する堰止部とすることが好ましい。
【発明の効果】
【００１０】
本発明にあっては、凹凸屋根材の凹部から導水溝部に流れ込んだ雨水を、屋外側に行く程幅広となる導水溝部によって均して屋外側に排出することができる。このため、凹凸屋根材の凹部を流れる雨水が屋外側に大きく飛び出し難くなる。
【図面の簡単な説明】
【００１１】
【図１】本発明の実施形態の屋根構造の軒側を示す斜視図である。
【図２】同上の屋根構造の斜視図である。
【図３】同上の屋根構造の軒側を示す断面図である。
【図４】同上の屋根構造の軒側における雨水の流れを示した斜視図である。
【図５】同上の面戸と凹凸屋根材の斜視図である。
【発明を実施するための形態】
【００１２】
以下、本発明を添付図面に基づいて説明する。
【００１３】
（第一実施形態）
本実施形態の屋根構造は図２に示されるように片流れ屋根を有する建物１に適用したものである。以下では、傾斜した屋根面に沿って軒と棟を結ぶ矢印Ｄ１に示す方向を軒棟方向とし、軒に沿う矢印Ｄ２に示す方向を軒方向として説明する。
【００１４】
建物１軒側の外壁の上端部には、図３に示されるように屋外側（棟と反対側）に向かって突出する軒部１０が形成されている。軒部１０の屋外側端部は下方程屋内側に位置するように傾斜した鼻隠し１１（鼻板）で構成されている。
【００１５】
建物１の屋根下地は垂木等の構造躯体上に設けられた野地板１２で構成されている。野地板１２は棟側から軒側に向かって一様な角度で下り傾斜しており、屋根勾配（軒棟方向）と平行である。野地板１２の軒側端部は鼻隠し１１よりも屋外側に突出している。
【００１６】
野地板１２の軒側端部には軒方向に長い面戸２が設けられている。面戸２は鋼板製である。なお、面戸２は鋼板以外の金属板で形成してもよい。また、面戸２の材質は金属に限定されるものではない。図５に示されるように面戸２は、板状部２０、複数の閉塞部２１、及び複数の導水部２２を有している。
【００１７】
板状部２０は軒方向に長い矩形状に形成されている。板状部２０の棟側部分は野地板１２に対して固定される固定部２００を構成する。板状部２０の屋外側縁部には、閉塞部２１と導水部２２が軒方向において交互に形成されている。
【００１８】
各閉塞部２１は、覆い部２１０、押さえ部２１１、及び水受部２１２を有している。覆い部２１０は、板状部２０の屋外側縁部から立ち上がっている。覆い部２１０は板状部２０に対して直角に交わる板状に形成されている。覆い部２１０は下底が上底よりも大きな等脚台形状に形成されており、その幅は下方に行く程徐々に大きくなっている。
【００１９】
押さえ部２１１は覆い部２１０の上縁部から棟側に向かって突出した片部で構成されている。押さえ部２１１は板状部２０と略平行である。水受部２１２は板状部２０の覆い部２１０の下縁が接続された屋外側端部をさらに屋外側に延出した片部で構成されており、覆い部２１０の下縁から棟と反対側に向かって突出している。水受部２１２は軒方向に長い長方形状に形成されている。軒方向において水受部２１２の両側端部は覆い部２１０よりも僅かに外側に突出している。
【００２０】
各導水部２２は導水溝部２２０と水受部２２１を有している。以下、閉塞部２１の水受部２１２を第一水受部２１２と記載し、導水部２２の水受部２２１を第二水受部２２１と記載する。
【００２１】
導水溝部２２０は棟側に凹んだ溝状に形成されており、屋外側に開口し、また、隣り合う第一水受部２１２の間から上方に開口している。導水溝部２２０は、溝底部を構成する奥片部２２２と、溝側面を構成する両側の側片部２２３を有している。奥片部２２２はその両側に位置する第一水受部２１２の間に亘って形成されている。奥片部２２２は板状部２０の屋外側縁部から棟と反対側となる屋外側に向かって突出している。奥片部２２２は屋外側に行く程屋根勾配よりも急な下り傾斜となるように弧状に湾曲している。奥片部２２２は屋外側から見て下底が上底よりも大きい等脚台形状に形成されており、屋外側に行く程徐々に幅が広くなっている。
【００２２】
各側片部２２３は対応する第一水受部２１２の側縁部から奥片部２２２の対応する側縁部に沿って垂れ下がっている。両側片部２２３の間隔は下方に行くにつれて大きくなっており、導水溝部２２０はその溝幅が屋外側に行く程幅広となる末広がり状に形成されている。各側片部２２３には奥片部２２２の対応する側縁部が接続されており、各側片部２２３は奥片部２２２の対応する側縁部から屋外側に向かって突出している。
【００２３】
第二水受部２２１は奥片部２２２の屋外側縁部（下縁部）から屋外側に向かって突出しており、軒方向に長い水平な矩形状の片部で構成されている。第二水受部２２１は第一水受部２１２よりも一段低い位置に配置されている。第一水受部２１２、第二水受部２２１、及び側片部２２３の夫々の屋外側縁部は軒棟方向において同位置に配置されている。第二水受部２２１は板状部２０や第一水受部２１２と平行であり、奥片部２２２の下縁部から棟と反対側に向かって突出している。第二水受部２２１の両側縁部は対応する側片部２２３の下縁に接続されている。第二水受部２２１の幅ｂ３は、隣り合う第二水受部２２１の間隔ｌよりも大きくなっている。
【００２４】
図３に示されるように面戸２の固定部２００は野地板１２に載置されている。固定部２００はビスや釘等の固着具による固着あるいは接着剤による接着によって野地板１２の軒側端部に固定されている。面戸２の板状部２０の屋外側部分は野地板１２より屋外側に突出している。
【００２５】
野地板１２上には図２に示されるように凹凸屋根材３が軒方向に複数並べて載置されている。ここで、各凹凸屋根材３の軒側部分は、図３に示されるように面戸２の固定部２００を介して野地板１２に載置されている。
【００２６】
各凹凸屋根材３は鋼板製である。なお、各凹凸屋根材３は鋼板以外の金属板で形成してもよく、また、その材質は金属に限定されるものではない。各凹凸屋根材３は、図５に示されるように下方に開口し上方に突出する凸部３０と上方に開口し下方に凹む凹部３１を有している。凸部３０と凹部３１は軒方向に交互に形成されている。各凸部３０の側面部は隣接する凹部３１の側面部を兼ねている。同側面部は凸部３０の天面部や凹部３１の底面部に対して略直交している。詳しくは、凸部３０の両側面部は下方程凸部３０の幅方向外側に位置するように僅かに傾斜している。各凸部３０の幅、及び各凹部３１の幅は、軒棟方向において一様である。
【００２７】
図示は省略するが、隣り合う凹凸屋根材３は野地板１２上に設けられた連結具を介して連結されている。連結具は例えばビスや釘等の固着具による固着によって野地板１２に固定される。これにより、各凹凸屋根材３は連結具を介して野地板１２に固定される。また、連結具にはカバー部材が取り付けられ、カバー部材によって隣り合う凹凸屋根材３の間の部分、及びここに配置された連結具が覆われている。
【００２８】
図３に示されるように各凹凸屋根材３の軒側端部は、軒棟方向において野地板１２の軒側縁よりも屋外側に突出している。凹凸屋根材３の各凸部３０の軒側端部は、対応する面戸２の押さえ部２１１と板状部２０との間に挿入されている。これにより面戸２の固定部２００は野地板１２と凹凸屋根材３の凹部３１の底面部の間に挟まれて固定されている。
【００２９】
凹凸屋根材３の各凸部３０の軒側端部を押さえ部２１１と面戸２の板状部２０との間に挿入するには、例えば、まず先に野地板１２上に載置固定された面戸２の閉塞部２１の棟側に凸部３０が位置するように凹凸屋根材３を野地板１２上に配置し、面戸２の閉塞部２１を図５に示されるように配置する。そして、この凹凸屋根材３を図５の矢印に示されるように野地板１２に沿って軒側に移動する。
【００３０】
面戸２の各閉塞部２１の覆い部２１０から突出した押さえ部２１１は、図３に示されるように対応する凸部３０の上面の軒側端部に載置されている。このため、凹凸屋根材３が風等を要因として野地板１２から浮き上がろうとしたとき、この凹凸屋根材３の凸部３０の天面部の軒側端部が押さえ部２１１によって押さえられるようになっている。
【００３１】
面戸２の各閉塞部２１は対応する凹凸屋根材３の凸部３０の屋外側に配置されている。各閉塞部２１の覆い部２１０は対応する凸部３０の軒側端面に当接している。各閉塞部２１の覆い部２１０は対応する凸部３０の軒側開口に対向し、同開口を覆う。このため、凸部３０内には雨水や小鳥、虫等が入り難くなっている。
【００３２】
図１に示されるように面戸２の各閉塞部２１の第一水受部２１２は対応する覆い部２１０の下縁部から屋外側に向かって突出している。このため、雨水が凹凸屋根材３の凸部３０の上面を棟側から軒側に向かって流れ、押さえ部２１１を乗り越えた場合、この雨水は対応する面戸２の覆い部２１０の屋外側の面を伝って第一水受部２１２の上面に至るようになっている。そして、この雨水は第一水受部２１２の屋外側縁から屋外側に流れ落ちるようになっている。
【００３３】
図５に示されるように面戸２の各閉塞部２１の覆い部２１０は、その最大幅ｂ１が対応する凸部３０の最大幅ｂ２よりも大きくなっている。このため、図１に示される覆い部２１０の幅方向の両側端部は対応する凸部３０の側面部よりも凹部側に向けて突出した堰止部２１３となっている。この堰止部２１３は覆い部２１０の上下に亘って凸部３０の側面部から突出している。すなわち、各凹部３１の軒側端部においては、両側の凸部３０の側面部から当該凸部３０の幅方向外側に向かって面戸２の堰止部２１３が突出している。このため、雨水各凹凸屋根材３の各凹部３１内を軒側に向かって流れたとき、当該凹部３１の軒側端部の両側においては、図４の矢印ａ１に示されるように凹部３１の側面部に沿って軒側に流れる雨水が堰止部２１３によって堰き止められるようになっている。そして、この雨水は堰止部２１３の棟側の面に沿って凹部３１の幅方向中央側に向かって流れ、この後、凹部３１の軒側開口から屋外側に排出されるようになっている。
【００３４】
面戸２の各導水部２２は、図４に示されるように凹凸屋根材３の対応する凹部３１の軒側縁の下側に配置されている。各導水溝部２２０の奥片部２２２の上縁部は、対応する凹部３１の下面の軒側縁部に当接している。このため、各凹凸屋根材３の各凹部３１の軒側から排出された雨水は対応する面戸２の導水溝部２２０内に流れ込むようになっている。そして、この雨水は導水溝部２２０の湾曲した奥片部２２２や両側片部２２３に沿って屋外側に導かれて、第二水受部２２１で受けられ、この後、第二水受部２２１の屋外側縁から屋外側に排出されるようになっている。
【００３５】
面戸２の各導水溝部２２０は対応する凹凸屋根材３の凹部３１の底面部の軒側縁から屋外側に行く程幅広になっている。また、各導水溝部２２０の最大溝幅ｂ３は対応する凹凸屋根材３の凹部３１の軒側開口の最大幅ｂ４（図５参照）よりも大きくなっている。このため、図４の矢印ａ１や矢印ａ２に示されるように凹凸屋根材３から各導水溝部２２０に流れ込んだ雨水は、末広がり状の導水溝部２２０によって屋外側に行く程均されるようになっている。そして、この雨水は第二水受部２２１によって受けられてその勢いが弱められ、この第二水受部２２１によっても均された後、第二水受部２２１から流れ落ちることとなる。
【００３６】
図３に示されるように軒部１０の屋外側には、軒樋４が軒部１０に沿って設けられている。軒樋４は取付具（不図示）を介して鼻隠し１１に取り付けられている。各面戸２の各第一水受部２１２の屋外側縁、及び各第二水受部２２１の屋外側縁は、建物１外壁に直交する屋内外方向において軒樋４の両側の壁部の間に位置している。このため、各第一水受部２１２の屋外側縁や各第二水受部２２１の屋外側縁から流れ落ちた雨水は軒樋４で受けられるようになっている。また、本実施形態の屋根構造では図２に示されるように複数の凹凸屋根材３で構成される屋根面上に、機能パネルとしての太陽光発電パネル５が設けられている。
【００３７】
以上説明したように本実施形態では、凹凸屋根材３の軒側に設けられた面戸２が、凹凸屋根材３の凹部３１の軒側開口から排出された雨水をさらに屋外側に導く導水溝部２２０を有している。そして、導水溝部２２０が凹部３１の底面部の軒側縁から屋外側に行く程幅広になり、導水溝部２２０の最大溝幅が凹部３１の幅よりも大きくなっている。このため、凹凸屋根材３の凹部３１から導水溝部２２０に流れ込んだ雨水を、屋外側に行く程幅広となる導水溝部２２０によって均して屋外側に排出することができる。従って、凹凸屋根材３の凹部３１を流れる雨水が屋外側に大きく飛び出し難くなる。
【００３８】
また、本実施形態の導水溝部２２０は、その溝底部を構成する奥片部２２２が屋外側に行く程屋根勾配よりも急な下り傾斜となるように湾曲している。このため、凹凸屋根材３の凹部３１から排出された雨水は、湾曲した奥片部２２２に沿って下方に導かれるようになる。よって、凹凸屋根材３の凹部３１を流れる雨水は屋外側に一層飛び出し難くなる。
【００３９】
また、本実実施形態の面戸２は、導水溝部２２０の奥片部２２２の屋外側端部から屋外側に突出する第二水受部２２１を有している。このため、導水溝部２２０を流れた後の雨水は、第二水受部２２１で受けられて均された後、屋外側に排出されることとなる。このため、凹凸屋根材３の凹部３１を流れる雨水は屋外側に一層飛び出し難くなる。
【００４０】
また、本実実施形態の面戸２の覆い部２１０の側端部は、凸部３０の側面部から凹部３１側に向けて突出する堰止部２１３となる。このため、凹部３１の軒側端部においては、凹部３１の側面部に沿って軒側に流れる雨水が堰止部２１３によって堰き止められ、この後、導水溝部２２０に流れるようになる。従って、凹凸屋根材３の凹部３１を流れる雨水は屋外側に一層飛び出し難くなる。
【００４１】
なお、本実施形態では面戸２の導水溝部２２０の奥片部２２２は屋外側に行く程屋根勾配よりも急な下り傾斜となるように湾曲しているが、屋根勾配よりも急な下り傾斜で傾斜していてもよい。さらには、屋根勾配と平行、あるいは屋根勾配よりも緩やかな下り傾斜で傾斜するものであってもよい。また、導水部２２の水受部２２１は省略可能である。また、本実施形態では覆い部２１０の幅方向の両側端部を堰止め部２１３としたが、片側端部のみを堰止め部２１３としてもよい。また、本発明は片流れ屋根だけではなく切妻屋根等のその他の形状の屋根にも適用可能である。その他、本発明は上記し且つ図面に示した実施形態にのみ限定されるものではなく、要旨を逸脱しない範囲内で適宜変更して実施し得るものである。
【符号の説明】
【００４２】
２  面戸
３  凹凸屋根材
３０  凸部
３１  凹部
２１０  覆い部
２１３  堰止部
２２０  導水溝部
２２１  第二水受部
【図１】
2014080732.tif 000003
【図２】
2014080732.tif 000004
【図３】
2014080732.tif 000005
【図４】
2014080732.tif 000006
【図５】
2014080732.tif 000007